(57)【要約】【課題】壁材強度を破壊せずに外壁の外力破壊に対する抵抗能力を増加したプレビルト式外壁材の提供。【解決手段】メインフレーム、ハニカム構造板、外飾壁材を具え、該メインフレームの両端にハニカム構造板と外飾壁材が嵌め込まれる第１収容溝と第２収容溝が設けられ、並びにシリコンゴム等の接着物で接着され、第１収容溝と第２収容溝間のメインフレームの四周に溝が形成されて固定手段により本発明の外壁材が建築物の壁材に固着される。【選択図】　　　　図２
0003097108.tif 000002
【実用新案登録請求の範囲】
【請求項１】
プレビルト式外壁材において、メインフレーム、ハニカム構造板、及び外飾壁材を具え、該メインフレームに第１収容溝と第２収容溝が形成され、該第２収容溝内に凹溝が形成され、第１収容溝と第２収容溝間の四周に溝が形成され、該ハニカム構造板がメインフレームの第１収容溝中に収容され、外飾壁材がメインフレームの第２収容溝中に収容され、接着物によりハニカム構造板及び外飾壁材がメインフレームに接着されて形成されたことを特徴とする、プレビルト式外壁材。
【請求項２】
請求項１記載のプレビルト式外壁材において、ハニカム構造板が板体とハニカムコアを具えたことを特徴とする、プレビルト式外壁材。
【請求項３】
請求項１記載のプレビルト式外壁材において、メインフレームとハニカム構造板がアルミ材料で形成されたことを特徴とする、プレビルト式外壁材。
【請求項４】
請求項１記載のプレビルト式外壁材において、外飾壁材が透視不能な板材で形成されたことを特徴とする、プレビルト式外壁材。
【考案の詳細な説明】
【０００１】
【考案の属する技術分野】
本考案は一種のプレビルト式外壁材に係り、特に、建築物の壁面に固定されてもとの壁面を破壊せず、外壁材の外力破壊能力を増すことができる、プレビルト式外壁材に関する。
【０００２】
【従来の技術】
ビルの外壁にはプレビルト式外壁材が使用され、現在のプレビルト式外壁材の構造は、石材のような各外壁材の周囲に複数の係止溝が設けられ、これに複数の係止板が外壁材の係止溝中に係合され、各係止板の別板が建築物主体に固定され、これにより各外壁材が建築物に緊密に組み合わされて、外壁を形成する。しかし、上述のプレビルト式外壁材への係止溝の形成は、製造過程を複雑化させるだけでなく、外壁に切削された係止溝が壁材の応力集中を形成しやすく、亀裂や破裂等の状況を発生し、外壁材の強度を大幅に下げた。
【０００３】
このため業者は上述の外壁材の欠点を解決するため、外壁ユニット（図１）を提供し、この外壁ユニットは、内壁材部Ａを具え、該内壁材部Ａの外側壁面にシリコンゴム等の接着物４０により外飾壁材３０が接合され、内壁材部Ａと外飾壁材３０の周縁にギャップが設けられて係止溝Ｂが形成され、該係止溝Ｂ中にＵ形板Ｃが設置され、さらに固定手段を利用して外壁ユニットが建築物の外壁に固定され、外来の外力を緩衝するのに用いられる。
【０００４】
上述の外壁ユニットは、接着物４０で内壁材部Ａと外飾壁材３０を接着し、これにより外飾壁材３０が外力破壊を受けて破裂損壊する時、全体の外壁材を取り外して完全な外壁ユニットに交換しなければならず、且つ外壁ユニットの内壁材部にはセメント板が採用され、セメント板とシリコン接着物の接着効果は不良であり、このため外飾壁材の脱落を形成しやすく、外壁ユニットの施工結果に影響を与えた。
【０００５】
【考案が解決しようとする課題】
本考案は従来の外壁材及び外壁ユニットの不足を鑑み、施工効果があがらず、応力不良等の問題を解決すべく、プレビルト式外壁材を提供するものである。
【０００６】
本考案は一種のプレビルト式外壁材を提供することを課題とし、それは、メインフレーム、ハニカム構造板、及び外飾壁材を具え、該メインフレームの両端にハニカム構造板と外飾壁材が嵌め込まれる第１収容溝と第２収容溝が設けられ、並びにシリコンゴム等の接着物で接着され、第１収容溝と第２収容溝間のメインフレームの四周に溝が形成されて固定手段により本発明の外壁材が建築物の壁材に固着されるようにして形成されている。
【０００７】
本考案はまた一種のプレビルト式外壁材を提供することを課題とし、それは、接着物により外飾壁材とハニカム構造板がメインフレームの両端に固定され、これにより外飾壁材の構造強度を増加できるだけでなく、施工に便利で、さらに外飾壁材が外力による不当な破壊を遭遇した時に、単独で外飾壁材を取り外し交換でき、全体の外壁材を交換する必要がなく、その便利性を高めるようにして形成されている。
【０００８】
本考案はさらにまた一種のプレビルト式外壁材を提供することを課題とし、それはハニカム構造板が二つの板体及びハニカムコアで組成され、ハニカムコアが外来の不当な応力を緩衝し、これにより外壁材の応力抵抗を高めるようにして形成されている。
【０００９】
本考案はまた一種のプレビルト式外壁材を提供することを課題とし、それは、メインフレームとハニカム構造板がアルミ材で形成され、耐高温で、軽量で、放熱効果が良好で、施工上の便利性を増すようにして形成されている。
【００１０】
【課題を解決するための手段】
請求項１の考案は、プレビルト式外壁材において、メインフレーム、ハニカム構造板、及び外飾壁材を具え、該メインフレームに第１収容溝と第２収容溝が形成され、該第２収容溝内に凹溝が形成され、第１収容溝と第２収容溝間の四周に溝が形成され、該ハニカム構造板がメインフレームの第１収容溝中に収容され、外飾壁材がメインフレームの第２収容溝中に収容され、接着物によりハニカム構造板及び外飾壁材がメインフレームに接着されて形成されたことを特徴とする、プレビルト式外壁材としている。
請求項２の考案は、請求項１記載のプレビルト式外壁材において、ハニカム構造板が板体とハニカムコアを具えたことを特徴とする、プレビルト式外壁材としている。
請求項３の考案は、請求項１記載のプレビルト式外壁材において、メインフレームとハニカム構造板がアルミ材料で形成されたことを特徴とする、プレビルト式外壁材としている。
請求項４の考案は、請求項１記載のプレビルト式外壁材において、外飾壁材が透視不能な板材で形成されたことを特徴とする、プレビルト式外壁材としている。
【００１１】
【考案の実施の形態】
本考案のプレビルト式外壁材の組成は、図２、３に示されるようであり、それは、メインフレーム１０と、ハニカム構造板２０（本考案中のメインフレーム及びハニカム構造板はアルミ材料で形成されている）及び外飾壁材３０で組成されている。
【００１２】
該メインフレーム１０の両端にはそれぞれ第１収容溝１１及び第２収容溝１２が形成され、且つ第２収容溝１２内に凹溝１３が形成されて接着物４０の設置に供され、第１収容溝１１と第２収容溝１２間の四周に溝１４が形成されている。
【００１３】
ハニカム構造板２０は板体２１とハニカムコア２２（本考案中、ハニカムコアは二つの板体の間に挟まれている）を具え、該ハニカム構造板２０はメインフレーム１０の第１収容溝１１中に収容され、並びに接着物で固定される。
【００１４】
外飾壁材３０（本考案中の外飾壁材は透視不能な板材とされる）はメインフレーム１０の第２収容溝１２中に収容され、第２収容溝１２の凹溝１３中の接着物４０を利用して外飾壁材３０が第２収容溝１２中に固定される。
【００１５】
上述のメインフレーム１０、ハニカム構造板２０及び外飾壁材３０により外壁材が形成される。
【００１６】
図４に示されるように、本考案の外壁材は接着物４０を利用して、外飾壁材３０がメインフレーム１０の第２収容溝１２に接着され、該接着物４０（本考案中ではシリコンゴムとされる）は相当な粘着性を有し、且つ振動吸収、弾性緩衝及び引張り強さ等の特性を有し、これにより有効に外力の振動、緩衝を行う。さらに、該メインフレーム１０の第１収容溝１１中にハニカム構造板２０が嵌め込まれ、該ハニカム構造板２０は良好な振動吸収効果を有し、これにより接着物４０との間に二重の緩衝の効果が形成され、外壁材の振動吸収効果が増加される。
【００１７】
図５に示されるように、本考案の外壁材は運用上、固定装置５０を利用して建築物の壁面６０に固定される。該固定装置５０にはフック５１が形成され、該フック５１とメインフレーム１０の溝１４が対応し、フック５１が溝１４中に置かれて外壁材が建築物の壁面６０に固定される。
【００１８】
【考案の効果】
本考案は製造時に、ハニカム構造板２０と外飾壁材３０が接着物４０を利用してメインフレーム１０に固定され、施工が容易であるほか、接着物４０自体が相当な粘着性、振動吸収及び弾性緩衝の特性を有し、さらにハニカム構造板２０の良好な振動吸収効果により、全体の外壁材が二重の振動吸収の効果を達成し、大幅に外壁材の応力抵抗を増す。メインフレーム１０とハニカム構造板２０はアルミ材料で形成され、軽量で高温に耐え、放熱効果が良好であり、施工の便利性を増す。注意すべきは、本考案の外飾壁材３０は接着物４０を利用して直接メインフレーム１０に接着され、これにより外飾壁材３０が不当な外力破壊を受ける時、直接メインフレーム１０より外飾壁材３０を取り外せば外飾壁材３０の交換が行え、全体の外壁材を取り外す必要はなく、交換上の便利性を高める。
【００１９】
以上の各名称は本考案の技術内容を説明しやすくするためのものであり、本考案の請求範囲を限定するものではなく、本考案に基づきなしうる細部の修飾或いは改変は、いずれも本考案の請求範囲に属するものとする。
【図面の簡単な説明】
【図１】周知の外壁ユニットの立体断面図である。
【図２】本考案の分解斜視図である。
【図３】本考案の断面図である。
【図４】本考案の立体断面図である。
【図５】本考案の応用実施例の立体断面図である。
【符号の説明】
Ａ　内壁材部
Ｂ　係止溝　　　　　　　Ｃ　Ｕ形板
１０　メインフレーム
１１　第１収容溝　　　　１２　第２収容溝
１３　凹溝　　　　　　　１４　溝
２０　ハニカム構造板
２１　板体　　　　　　　２２　ハニカムコア
３０　外飾壁材
４０　接着物
５０　固定装置
５１　フック
６０　壁面
【図１】
0003097108.tif 000003
【図２】
0003097108.tif 000004
【図３】
0003097108.tif 000005
【図４】
0003097108.tif 000006
【図５】
0003097108.tif 000007